(57)【特許請求の範囲】
【請求項１】
複数のセグメントで複数の段階を表示する表示装置において、複数の第一セグメントと、隣り合う前記第一セグメントの間に配置される第二セグメントとを有する表示手段と、前記表示手段の前記第一セグメントと前記第二セグメントを点灯または消灯させる制御手段とを備え、前記制御手段は、隣り合う複数の前記第一セグメントを同時に点灯させて複数の段階のうちの１段階を表示する場合、その複数の前記第一セグメントの間にある前記第二セグメントを常時消灯させ、かつ、その常時消灯させた第二セグメント以外の前記第二セグメントを常時点灯させることを特徴とする表示装置。
【請求項２】
複数のセグメントで複数の段階を表示する表示装置において、複数の第一セグメントと、隣り合う前記第一セグメントの間に配置される第二セグメントとを有する表示手段と、前記表示手段の前記第一セグメントと前記第二セグメントを点灯または消灯させる制御手段とを備え、前記制御手段は、隣り合う複数の前記第一セグメントとその複数の第一セグメントの間にある第二セグメントを同時に点灯させて複数の段階のうちの１段階を表示する場合、その複数の前記第一セグメントの間にある前記第二セグメントを点灯させ、かつ、その点灯させた第二セグメント以外の前記第二セグメントを常時点灯させることを特徴とする表示装置。
【請求項３】
請求項１または請求項２に記載の表示装置と、前記表示装置が表示する段階を増減させる
操作手段と、前記複数のセグメントで表示する段階の数を設定する段階数設定手段とを備
えることを特徴とするリモートコントローラ。
【発明の詳細な説明】
【技術分野】
【０００１】
本発明は、複数のセグメントで複数の設定値の段階を表示する表示装置および、その表示装置を備えたリモートコントローラに関する。
【背景技術】
【０００２】
例えば空気調和機の設定値を変更するリモートコントローラ（以下、リモコンという）の表示装置には、表示部に配置された複数のセグメントの点灯数によって設定値を段階的に示すものがあり、設定値を数字や文字で表示するものよりも設定値を直感的に捉えることができるようになっている。
【０００３】
このような複数のセグメントを用いた設定値の表示装置として、空気調和機から吹出される風量を示す複数の四角形状のセグメントを並べ、並べた順に四角形状の高さが徐々に高くなるようにし、設定値の１段階ごとの増減に応じて点灯させるセグメントの数を１つずつ増減させるリモコンがある。（例えば、特許文献１参照）。
【先行技術文献】
【特許文献】
【０００４】
【特許文献１】特開２００５−６１６６５号公報（第６頁、図４）
【発明の概要】
【発明が解決しようとする課題】
【０００５】
特許文献１のリモコンを、風量の段階数が異なる空気調和機本体に共通のリモコンとして用いると、リモコンのセグメントの数よりも風量の設定可能な段階数が少ない空気調和機本体に用いた場合、風量を１段階上げる操作に対して点灯させるセグメントを１つずつ増加させるという従来の表示方式では、空気調和機本体の動作と一致するようにリモコンに段階を表示させることが出来ない。つまり、リモコンの表示ではまだ風量を上げられる様に見えても、空気調和機本体は最大の風量で運転しているというような表示と動作の不一致が生じるため、利用者に混乱を与えてしまうという問題がある。
【０００６】
本発明は以上述べた問題点を解決し、設定値の段階を示すセグメントの数と比較して、設定の段階数が少ない空気調和機などの本体装置を操作する場合にも、表示装置の段階の表示と本体装置の段階数の動作を一致させられる汎用性の高い表示装置およびその表示装置を備えたリモコンを提供することを目的とする。
【課題を解決するための手段】
【０００７】
本発明は上述の課題を解決するため、本発明の請求項１に記載の表示装置は、複数のセグメントで複数の段階を表示する表示装置において、複数の第一セグメントと、隣り合う前記第一セグメントの間に配置される第二セグメントとを有する表示手段と、前記表示手段の前記第一セグメントと前記第二セグメントを点灯または消灯させる制御手段とを備え、前記制御手段は、隣り合う複数の前記第一セグメントを同時に点灯させて複数の段階のうちの１段階を表示する場合、その複数の前記第一セグメントの間にある前記第二セグメントを常時消灯させ、かつ、その常時消灯させた第二セグメント以外の前記第二セグメントを常時点灯させることを特徴とする。
【０００８】
ま複数のセグメントで複数の段階を表示する表示装置において、複数の第一セグメントと、隣り合う前記第一セグメントの間に配置される第二セグメントとを有する表示手段と、前記表示手段の前記第一セグメントと前記第二セグメントを点灯または消灯させる制御手段とを備え、前記制御手段は、隣り合う複数の前記第一セグメントとその複数の第一セグメントの間にある第二セグメントを同時に点灯させて複数の段階のうちの１段階を表示する場合、その複数の前記第一セグメントの間にある前記第二セグメントを点灯させ、かつ、その点灯させた第二セグメント以外の前記第二セグメントを常時点灯させることを特徴とする。
【０００９】
また、本発明の請求項３に記載のリモコンは、請求項１または請求項２に記載の表示装置と、前記表示装置が表示する段階を増減させる操作手段と、前記複数のセグメントで表示する段階の数を設定する段階数設定手段とを備えることを特徴とする。
【発明の効果】
【００１０】
以上の手段を用いることにより、設定値の段階を示すセグメントの数と比較して設定の段階数が少ない空気調和機などの本体装置を操作する場合にも、表示装置の段階の表示と本体装置の段階数の動作を一致させることができるため、汎用性の高い表示装置及び、その表示装置を備えたリモコンを提供することができる。
【図面の簡単な説明】
【００１１】
【図１】本発明による表示装置及びリモコンの構成の一例を示すブロック図である。
【図２】本発明による表示装置を備えた空気調和機のリモコンの一例を示す正面図である。
【図３】本発明による表示部の段階表示の遷移の一例を示す説明図である。
【図４】本発明による実施例１のセグメント表示テーブルの一例を示す説明図である。
【図５】本発明の他の実施例による表示部の段階表示の遷移の一例を示す説明図である。
【図６】本発明による実施例２のセグメント表示テーブルの一例を示す説明図である。
【発明を実施するための形態】
【００１２】
以下、本発明の実施の形態を、添付図面に基づいた実施例として詳細に説明する。なお、本発明は以下の実施形態に限定されることなく、本発明の主旨を逸脱しない範囲で種々変形することが可能である。
【実施例１】
【００１３】
図１は、本発明による表示装置及びリモコンの構成の一例を示すブロック図である。表示装置１は、セグメントを用いて段階を表示する表示手段である表示部３と、記憶部４と、これらを制御する制御手段である制御部５を備えている。
【００１４】
表示部３は、設定の段階を示す第一セグメント群１０と、設定の段階数を明らかにするための第二セグメント群２０と、第一セグメント群１０が配置される範囲を明らかにするための第三セグメント３１を有している。
【００１５】
記憶部４は、第一セグメント群１０と、第二セグメント群２０の点灯パターンを予め記憶しているセグメント表示テーブル４１と、表示部３に表示させている段階の数を記憶する段階記憶部４２を有している。
【００１６】
また、リモコン２は、表示装置１と、段階を１段階ずつ増減させる操作を受付ける操作手段である操作部６と、操作対象となる有線または無線で通信接続された空気調和機などの本体装置からその本体装置に設定が可能な設定の段階数を受信し、第一セグメント群１０と第二セグメント群２０で表示する段階の数を設定する段階数設定手段である段階数設定部７を備えている。なお、設定の段階数は操作部６を介してユーザに入力させても良い。
【００１７】
また、リモコン２の制御手段である制御部５は、表示部３と記憶部４に加えて操作部６と、段階数設定部７を制御する。
【００１８】
図２は、本発明による表示装置１を備えた空気調和機のリモコン２の一例を示す正面図である。リモコン２の上部には空気調和機の設定状態などを表示する表示部３と、その下方に空気調和機の動作や設定を変更するための操作部６が配置されている。
【００１９】
表示部３の中央右側には風量を表示する風量表示領域３０が配置され、風量表示領域３０にはリモコン２の右側に示す拡大図に示すように、第一セグメント１１から第一セグメント１６までの四角形状の６つの第一セグメントで構成される第一セグメント群１０と、第二セグメント２１から第二セグメント２５までの棒状の５つの第二セグメントで構成される第二セグメント群２０と、第一セグメント群１０の下方と上方のそれぞれに棒状の第三セグメント３１を有している。
【００２０】
なお、第一セグメント群１０は、段階数設定部７で設定することができる最大の段階数と同数以上の第一セグメントの数で構成されるようになっている。つまり、最大で７段階の設定を表示する場合には７つ以上の第一セグメントで構成される。
【００２１】
また、第一セグメント群１０と第二セグメント群２０は、第一セグメント１１と第一セグメント１２の間に第二セグメント２１、第一セグメント１２と第一セグメント１３の間に第二セグメント２２と言うように、隣り合う第一セグメントの間にそれぞれ１つの第二セグメントが配置され、かつ第一セグメント１１から上方に向かって各セグメントの横方向の幅が徐々に長くなるように形成されている。
【００２２】
操作部６の右側部には風量の設定を変更するための風量操作ボタン６１が配置され、「風量」の文字の上方にある「▲」の印を押す毎に風量の設定を１段階ずつ増加させ、「風量」の文字の下方にある「▼」の印を押す毎に風量の設定を１段階ずつ減少させる操作が行えるようになっている。また制御部５は、操作部６から「▲」の印や「▼」の印を押す操作を受付けると、風量表示領域３０に点灯させるセグメントを増加または減少させる。
【００２３】
図３は、本発明による表示部３の段階表示の遷移の一例を示す説明図である。図３では図２で説明した６つの第一セグメント１１〜１６を用いて、その第一セグメントの数よりも少ない４段階の設定が可能な本体装置の設定を変更する際の、第一セグメント群１０及び第二セグメント群２０の点灯パターンを説明する。
【００２４】
なお、説明を開始する前提条件として、図１で説明した段階数設定部７が例えば空気調和機本体から、風量の設定可能な段階数が４段階であることを示す信号を受付けて、表示部３で表示する設定の段階の数を４段階とする設定が行われているものとする。段階の増減については、図２で説明した風量操作ボタン６１が操作されたものとする。また、図１と図２で説明した第一セグメント群１０が配置される範囲を明らかにするための第三セグメント３１は、風量の操作とは関係なく常時点灯しているものとする。
【００２５】
風量が一番小さい第１段階では、第一セグメント１１と、第二セグメント２１、２２、２４を点灯させる。この際に利用者は、点灯している３つの第二セグメントと２つの第三セグメント３１を合わせた合計５つの棒状のセグメントで４つの領域が区切られるため、４段階の設定が可能であることを認識することができ、点灯している第一セグメント１１により現在の設定が最大４段階の設定のうち最も風量が小さい第１段階であることを認識することができる。
【００２６】
風量が第１段階の次に大きい第２段階では、第１段階で点灯させているセグメントに加え、第一セグメント１２を点灯させる。このため利用者は最大４段階の設定のうち現在の設定は、点灯している第一セグメント１１、１２により第１段階の次に風量が大きい第２段階であることを認識することができる。
【００２７】
風量が第２段階の次に大きい第３段階では、第２段階で点灯させているセグメントに加え、第二セグメント２２と第二セグメント２４の間にある第一セグメント１３、１４を同時に点灯させる。このため利用者は、第一セグメント１３、１４の２つのセグメントで１段階の設定を示していることを認識し、最大４段階の設定のうち現在の設定は、点灯している第一セグメント１１と第一セグメント１２及び第一セグメント１３、１４により第２段階の次に風量が大きい第３段階であることを認識することができる。
【００２８】
風量が一番大きい第４段階では、第３段階で点灯させているセグメントに加え、第二セグメント２４と上方の第三セグメント３１の間にある第一セグメント１５、１６を同時に点灯させる。このため利用者は、第一セグメント１５、１６で１段階の設定を示していることを認識し、点灯している第一セグメント１１と第一セグメント１２と第一セグメント１３，１４及び第一セグメント１５，１６により全４段階の設定のうち最も風量が大きい第４段階であることを認識することができる。
【００２９】
図４は、本発明による実施例１のセグメント表示テーブル４１の一例を示す説明図である。このセグメント表示テーブル４１は、制御部５が操作部６から設定値を１段階ずつ増減させる操作を受付けた時、図３で説明した段階表示の遷移を実現するために参照するものであり、設定の段階毎に各セグメントの点灯または消灯パターンが予め記憶されている。
【００３０】
セグメント表示テーブル４１の項目について左側から説明する。「セグメント番号」の項目には、第一セグメント群１０と第二セグメント群２０を構成する複数の第一セグメントと第二セグメントにそれぞれ付番された番号が記憶されている。
【００３１】
「第１段階」の項目は、制御部５が表示部３に設定が第１段階であることを表示させる時に参照され、セグメント番号の項目に対応して「点灯」または「消灯」の情報が記憶されている。また「第二段階」から「第四段階」についても制御部５が表示部３にそれぞれの段階を表示させる時に参照される「点灯」または「消灯」の情報が記憶されている。
【００３２】
例えば、制御部５が操作部６から設定を増加させる操作を受付けた時、段階記憶部４２に記憶されている段階数が「第１段階」であった場合、制御部５はセグメント表示テーブル４１の「第２段階」の項目を参照し、「第２段階」の項目に記憶されている情報に従って、表示部３の第一セグメント群１０と第二セグメント群２０をそれぞれ「点灯」または「消灯」させる。
【００３３】
もしくは、制御部５は表示部３に表示する設定の段階を「第１段階」から「第２段階」へと遷移させるために、セグメント表示テーブル４１の「第１段階」の項目と「第２段階」の同じ項目同士を比較して状態が異なるセグメントを特定し、そのセグメントについて「点灯」から「消灯」または「消灯」から「点灯」という様に状態を反転させても良い。具体的には、「第１段階」の項目と「第２段階」の項目を比較すると、図４の右向きの矢印で示すように第一セグメント１２に「第１段階」と「第２段階」で異なる情報が記憶されていることを特定できるため、第一セグメント１２を消灯から点灯へと状態を反転させる。
【００３４】
また例えば、制御部５が操作部６から設定を減少させる操作を受付けた時、段階記憶部４２に記憶されている段階の数が「第４段階」であった場合、制御部５はセグメント表示テーブル４１の「第３段階」の項目を参照し、「第３段階」の項目に記憶されている情報に従って、表示部３の第一セグメント群１０と第二セグメント群２０をそれぞれ「点灯」または「消灯」させる。
【００３５】
もしくは、制御部５は表示部３に表示する設定の段階を「第４段階」から「第３段階」へと遷移させるために、セグメント表示テーブル４１の「第４段階」の項目と「第３段階」の同じ項目同士を比較して状態が異なるセグメントを特定し、そのセグメントについて「点灯」から「消灯」または「消灯」から「点灯」という様に状態を反転させても良い。の「第３段階」に記憶される情報に従って、表示部３のセグメントを「点灯」または「消灯」させても良い。具体的には、「第４段階」の項目と「第３段階」の項目を比較すると、図４の左向きの矢印で示すように第一セグメント１５、１６に「第４段階」と「第３段階」で異なる情報が記憶されていることを特定できるため、第一セグメント１５、１６を点灯から消灯へと状態を反転させる。
【００３６】
なお図４は、段階数設定部７から段階数が４段階の設定が入力された際に参照される実施例１のセグメント表示テーブル４１の例であるが、セグメント表示テーブル４１は段階数が３段階、５段階など、図示していない複数の段階数に対応して予め記憶され、制御部５が段階数設定部７から入力された段階数に応じて、その段階数に対応するセグメント表示テーブル４１を参照するようになっている。
【実施例２】
【００３７】
図５は、本発明の他の実施例による表示部３の段階表示の遷移の一例を示す説明図である。図５では図２で説明した６つの第一セグメント１１〜１６を用いて、その第一セグメントの数よりも少ない４段階の設定が可能な本体装置の設定を変更する際の、第一セグメント群１０及び第二セグメント群２０の点灯パターンを説明する。なお、説明を開始する前提条件は図３と同様とする。また、図５に示す第１段階及び第２段階は図３と同様であるため説明を割愛する。
【００３８】
風量が第２段階の次に大きい第３段階では、第２段階で点灯させているセグメントに加え、第二セグメント２２と第二セグメント２４の間にある第一セグメント１３、１４及び第二セグメント２３を同時に点灯させる。このため利用者は、第一セグメント１３、１４と第二セグメント２３の３つのセグメントで１段階の設定を示していることを認識し、最大４段階の設定のうち現在の設定は、点灯している第一セグメント１１と第一セグメント１２及び第一セグメント１３、１４により、第２段階の次に風量が大きい第３段階であることを認識することができる。
【００３９】
風量が一番大きい第４段階では、第３段階で点灯させているセグメントに加え、第二セグメント２４と上方の第三セグメント３１の間にある第一セグメント１５、１６及び第二セグメント２５を同時に点灯させる。このため利用者は、第一セグメント１５、１６と第二セグメント２５の３つのセグメントで１段階の設定を示していることを認識し、最大４段階の設定のうち現在の設定は、第一セグメント群１０と第二セグメント群２０が全て点灯していることにより、最も風量が大きい第４段階であることを認識することができる。
【００４０】
図５で説明した実施例２の段階表示は、例えば隣り合う第一セグメントの配置間隔が離れている場合に、図３で説明した実施例１の同時に点灯させた複数の第一セグメントで１段階の設定を示すよりも、点灯させる複数の第一セグメントの間の第二セグメントを合わせて点灯させることで、利用者には同時に点灯した第一セグメントの間の隙間が小さく見えるようになるため、複数のセグメントの点灯を１段階として認識し易くなる。
【００４１】
図６は、本発明による実施例２のセグメント表示テーブル４１の一例を示す説明図である。このセグメント表示テーブル４１は、制御部５が操作部６から設定値を１段階ずつ増減させる操作を受付けた時、図５で説明した段階表示の遷移を実現するために参照するものであり、設定の段階毎に各セグメントの点灯または消灯パターンが予め記憶されている。なお、セグメント表示テーブル４１の各項目については、図４で説明した実施例１と同様であるため説明を割愛する。
【００４２】
例えば、制御部５が操作部６から設定を増加させる操作を受付けた時、段階記憶部４２に記憶されている段階数が「第２段階」であった場合、制御部５はセグメント表示テーブル４１の「第３段階」の項目を参照し、「第３段階」の項目に記憶されている情報に従って、表示部３の第一セグメント群１０と第二セグメント群２０をそれぞれ「点灯」または「消灯」させる。
【００４３】
もしくは、制御部５は表示部３に表示する設定の段階を「第２段階」から「第３段階」へと遷移させるために、セグメント表示テーブル４１の「第２段階」の項目と「第３段階」の同じ項目同士を比較して状態が異なるセグメントを特定し、そのセグメントについて「点灯」から「消灯」または「消灯」から「点灯」という様に状態を反転させても良い。具体的には、「第２段階」の項目と「第３段階」の項目を比較すると、図６の右向きの矢印で示すように第一セグメント１３、１４と第二セグメント２３に「第２段階」と「第３段階」で異なる情報が記憶されていることを特定できるため、特定したセグメントを消灯から点灯へと状態を反転させる。
【００４４】
また例えば、制御部５が操作部６から設定を減少させる操作を受付けた時、段階記憶部４２に記憶されている段階数が「第４段階」であった場合、制御部５はセグメント表示テーブル４１の「第３段階」の項目を参照し、「第３段階」の項目に記憶されている情報に従って、表示部３の第一セグメント群１０と第二セグメント群２０をそれぞれ「点灯」または「消灯」させる。
【００４５】
もしくは、制御部５は表示部３に表示する設定の段階を「第４段階」から「第３段階」へと遷移させるために、セグメント表示テーブル４１の「第４段階」の項目と「第３段階」の同じ項目同士を比較して状態が異なるセグメントを特定し、そのセグメントについて「点灯」から「消灯」または「消灯」から「点灯」という様に状態を反転させても良い。具体的には、「第４段階」の項目と「第３段階」の項目を比較すると、図６の左向きの矢印で示すように第一セグメント１５、１６と第二セグメント２５に「第４段階」と「第３段階」で異なる情報が記憶されていることを特定できるため、特定したセグメントを点灯から消灯へと状態を反転させる。
【００４６】
なお図６は、段階数設定部７から段階数が４段階の設定が入力された際に参照される実施例２のセグメント表示テーブル４１の例であるが、セグメント表示テーブル４１は段階数が３段階、５段階など、図示していない複数の段階数に対応して予め記憶され、制御部５が段階数設定部７から入力された段階数に応じて、その段階数に対応するセグメント表示テーブル４１を参照するようになっている。
【００４７】
本発明による表示装置及び、その表示装置を備えたリモコンは、実施例１または実施例２で説明した第一セグメントと第二セグメントを点灯または消灯させる制御を行うことにより、設定値の段階を示すセグメントの数と比較して設定の段階数が少ない本体装置を操作する場合にも、表示装置の段階の表示と本体装置の段階数の動作を一致させることができる。このため汎用性の高い表示装置及び、その表示装置を備えたリモコンを提供することができる。
【符号の説明】
【００４８】
１  表示装置
２  リモコン
３  表示部（表示手段）
３０  風量表示領域
４  記憶部
４１  セグメント表示テーブル
４２  段階記憶部
５  制御部（制御手段）
６  操作部（操作手段）
６１  風量操作ボタン
７  段階数設定部（段階数設定手段）
１０  第一セグメント群
１１〜１６  第一セグメント
２０  第二セグメント群
２１〜２５  第二セグメント
３１  第三セグメント
【図１】
0006720713.tif 000002
【図２】
0006720713.tif 000003
【図３】
0006720713.tif 000004
【図４】
0006720713.tif 000005
【図５】
0006720713.tif 000006
【図６】
0006720713.tif 000007